(57)【要約】【課題】簡単な構成で眼科を含む複数の各医科の手術に適した光源を自動的に選択し照明制御を行うことができ、各医科の手術に共有できる手術用顕微鏡を提供する。【解決手段】本発明の手術用顕微鏡では、術前設定部２により使用する医科が選択設定され各種パラメータも入力設定される。照明光遮断制御部３は、キセノン光源検出センサ５とハロゲン光源検出センサ６との検出結果により接続されている光源がキセノンであるかハロゲンであるかを認識し、選択された医科が「眼科」であるか否かを判断する。この場合、照明光遮断制御部３は、「眼科」に設定されている場合、接続されている光源がハロゲン光源であるか否かを判断し、光源がハロゲン光源でないものと判断した場合にはスイッチ１３ａをオフしてキセノン光源用電源１３をオフさせ、一方、「眼科」に設定されてない場合には検出した光源がキセノン光源であるものと判断してキセノン光源用電源１３をオン可能な状態となるようにスイッチ１３ａをオンさせる。【選択図】  図１
2005003727.tif 000002
【特許請求の範囲】
【請求項１】
複数種の光源を有し、術部を照明する照明手段と、
前記術部を観察する観察手段と、
前記観察手段の少なくとも一つの可変可能な設定値を設定する術前設定手段とを備えた手術用顕微鏡において、
前記複数種の光源のうち選択使用されている光源種を検出する光源種検出手段と、
前記術前設定手段の設定に基づく光源種と前記光源検出手段で検出された光源種とを比較する比較手段と、
前記比較手段による比較結果に応じて前記照明手段の光源による術部照明を制御する制御手段と、
を具備したことを特徴とする手術用顕微鏡。
【請求項２】
複数種の光源を有し、術部を照明する照明手段と、
前記術部を観察する観察手段と、
前記観察手段の少なくとも一つの可変可能な設定値を設定する術前設定手段とを備えた手術用顕微鏡において、
前記複数種の光源のうち選択使用されている光源種を検出する光源種検出手段と、
前記術前設定手段による設定内容と前記光源種検出手段の検出結果に基き、前記照明手段から術部への照明光を遮断制御する照明光遮断制御手段と、
を具備したことを特徴とする手術用顕微鏡。
【請求項３】
複数種の光源を有し、術部を照明する照明手段と、
前記術部を観察する観察手段と、
前記観察手段の少なくとも一つの可変可能な設定値を設定する術前設定手段とを備えた手術用顕微鏡において、
前記術前設定手段の設定内容に基き、前記複数種の光源装置のうち特定の光源からの照明光を術部へ導く照明光選択制御手段と、を具備したことを特徴とする手術用顕微鏡。
【発明の詳細な説明】
【０００１】
【発明の属する技術分野】
本発明は、複数種の光源装置を有する手術用顕微鏡に関する。
【０００２】
【従来の技術】
従来より、眼科治療における手術においては、手術用顕微鏡が多く用いられている。
【０００３】
このような眼科治療の手術に用いられる手術用顕微鏡は、通常、術部の被検体に光を照射するための光源が設けられており、この光源には、一般に、光網膜障害を予防するためにハロゲン光源が用いられている。一方、眼科以外の医科の治療における手術ではより明るい光源が求められ、このためハロゲン光源より大きな光量のあるキセノン光源が用いられることが多い。
【０００４】
従来の手術用顕微鏡及び手術用顕微鏡の光源装置に関する関連技術としては、例えば特開平１０−１４９３７号公報に記載の手術用顕微鏡や、特開平７−２５５７４３号公報に記載の手術顕微鏡の切替え可能な照明装置、あるいは特開２００３−２１７９１号公報に記載の顕微鏡システムなどがある。
【０００５】
前記特開平１０−１４９３７号公報に記載の提案では、観察光路中に光透過反射比率変更手段を具備した手術用顕微鏡が記載されており、この光透過反射比率変更手段により同一の光源による術部に到達する光量を、光網膜障害を予防できる眼科での使用条件と、光量を優先する他の医科での使用条件とに使い分けることができるように構成したことが特徴である。
【０００６】
また、前記特開平７−２５５７４３号公報に記載の提案では、少なくとも１つの光源の照明ビーム路に切替え手段を設けた眼外科での手術顕微鏡用の切替え可能な照明装置が記載されており、前記切替え手段が前記光源のランプフィラメントを観察対象眼の対象面に結像するように構成したことが特徴であり、この構成によって、眼外科での手術顕微鏡用の照明装置において、ケーラー照明と赤色反射照明の二つの必要なモードを簡単に切替え可能とし、両者の混合照明も可能とする目的を達成しようとしている。
【０００７】
さらに、前記特開２００３−２１７９１号公報に記載の提案では、予め定められた観察条件設定手順、及び該観察条件設定手順の各手順毎に観察者が選択可能な観察条件を予め記憶する記憶手段と、この記憶手段に記憶された前記観察条件設定手順に沿って、各手順毎に前記観察者が選択可能な前記観察条件を順次表示する表示手段と、この表示手段への表示を制御し、観察者が前記表示手段の表示から選択した選択項目に関する入力を従い、前記観察条件を順次設定する制御手段とを有して構成したことを特徴とする顕微鏡システムが開示されている。この構成により、構成機器の設定を使用者が容易に行うことができるといった目的を達成しようとしている。
【０００８】
【特許文献１】
特開平１０−１７４６７３号公報
【０００９】
【特許文献２】
特開平７−２５５７４３号公報
【００１０】
【特許文献３】
特開２００３−２１７９１号公報
【００１１】
【発明が解決しようとする課題】
ところで、手術用顕微鏡は各医科によって架台のスタイルこそ異なるものの、観察系そのものには差が無いことから、各医科の手術で共用できる手術用顕微鏡の提供が望まれている。
【００１２】
しかしながら、前述した特開平１０−１４９３７号公報に記載の手術用顕微鏡では、各医科の手術で共用することはできるが、同一の光源を眼科とそれ以外の医科とに使い分けようとする手段であるため、前述のようなハロゲン光源とキセノン光源とによってそれぞれの医科に最良の照明条件を得ようとする場合においては限界がある。なぜならば、眼科用には光網膜障害を予防するために一般にハロゲン光源を使用するため、眼科仕様に合わせてハロゲン光源を手術用顕微鏡に搭載することとなり、他の医科での使用時にキセノン光源を使用できる場合よりも光量が劣る結果となる。そこで、このような不都合を解消するために、眼科で使用する時とそれ以外の医科で使用する時とでハロゲン光源とキセノン光源を積み替えていては、使用者の作業負担が増加してしまう。
【００１３】
また、上記従来の手術用顕微鏡では、光量の切り替えは可能であるが、特に眼科での使用時には光量がどちらに選択されているかの確認に気を遣わなければならず、手術が円滑に行えない場合も考えられる。
【００１４】
一方、前記特開平７−２５５７４３号公報に記載の提案では、切替え手段によってケーラー照明と赤色反射照明の二つの必要なモードを簡単に切替え可能にしてはいるものの、あくまで眼外科用として構成されたものであり、各医科の手術に対応したものではなく、また、前記特開２００３−２１７９１号公報に記載の提案では、前記記憶手段、表示手段及び制御手段によって構成機器の設定を使用者が容易に行うことができるものの、前述したようなハロゲン光源とキセノン光源との２種類によってそれぞれの医科に最良の照明条件を得ようとする場合においては限界がある。すなわち、これらの従来技術をもってしても、上述した問題点を満足するには至ってないのが現状である。
そこで、本発明は上記事情に鑑みてなされたもので、簡単な構成で眼科を含む複数の各医科の手術に適した光源を自動的に選択し照明制御を行うことができる手術用顕微鏡を提供することを目的とする。
【００１５】
【課題を解決するための手段】
上記目的を達成するために請求項１に記載の発明の手術用顕微鏡は、複数種の光源を有し、術部を照明する照明手段と、前記術部を観察する観察手段と、前記観察手段の少なくとも一つの可変可能な設定値を設定する術前設定手段とを備えた手術用顕微鏡において、前記複数種の光源のうち選択使用されている光源種を検出する光源種検出手段と、前記術前設定手段の設定に基づく光源種と前記光源検出手段で検出された光源種とを比較する比較手段と、前記比較手段による比較結果に応じて前記照明手段の光源による術部照明を制御する制御手段と、を具備したことを特徴とするものである。
【００１６】
請求項２に記載の発明の手術用顕微鏡は、複数種の光源を有し、術部を照明する照明手段と、前記術部を観察する観察手段と、前記観察手段の少なくとも一つの可変可能な設定値を設定する術前設定手段とを備えた手術用顕微鏡において、前記複数種の光源のうち選択使用されている光源種を検出する光源種検出手段と、前記術前設定手段による設定内容と前記光源種検出手段の検出結果に基き、前記照明手段から術部への照明光を遮断制御する照明光遮断制御手段と、を具備したことを特徴とするものである。
【００１７】
請求項３に記載の発明の手術用顕微鏡は、複数種の光源を有し、術部を照明する照明手段と、前記術部を観察する観察手段と、前記観察手段の少なくとも一つの可変可能な設定値を設定する術前設定手段とを備えた手術用顕微鏡において、前記術前設定手段の設定内容に基き、前記複数種の光源装置のうち特定の光源からの照明光を術部へ導く照明光選択制御手段と、を具備したことを特徴とするものである。
【００１８】
【発明の実施の形態】
以下に、図面を参照しながら本発明の実施の形態について説明する。
【００１９】
第１の実施の形態：
（構成）
図１乃至図３は本発明に係る手術用顕微鏡の第１の実施の形態を示し、図１は該手術用顕微鏡のシステム全体の構成を示す概略構成図、図２は図１に示すライトガイドと光源との接続部分の具体的な他の構成を示す構成図、図３は本実施の形態の特徴となる作用を説明するためのフローチャートである。
【００２０】
本実施の形態に係る手術用顕微鏡は、図１に示すように、手術用顕微鏡の光源接続部１と、手術用顕微鏡の医科別選択手段としての術前設定部２と、手術用顕微鏡の照明光遮断制御部３と、キセノン光源用ライトガイド１１と、ハロゲン光源用ライトガイド２１と、キセノン光源１２と、ハロゲン光源２２と、キセノン光源用電源１３と、ハロゲン光源用電源２３とを有して構成されている。
【００２１】
手術用顕微鏡の光源接続部１は、キセノン光源用ライトガイド１１、或いはハロゲン光源用ライトガイド２１を挿入するライトガイド挿入凹部４を有し、このライトガイド挿入凹部４にはキセノン光源検出センサ５と、ハロゲン光源検出センサ６が設けられて構成されている。
【００２２】
手術用顕微鏡の術前設定部２は、手術用顕微鏡の前記照明光遮断制御部３に電気的に接続されている。
【００２３】
手術用顕微鏡の照明光遮断制御部３は、キセノン光源検出センサ５と、ハロゲン光源検出センサ６と、キセノン光源用電源１３と、ハロゲン光源用電源２３とに電気的に接続されている。
【００２４】
キセノン光源用電源１３には、スイッチ１３ａが設けられており、このスイッチ１３ａのオン／オフは照明光遮断制御部３によって制御されるようになっている。また、ハロゲン光源用電源２３にも、スイッチ２３ａが設けられており、このスイッチ２３ａのオン／オフは照明光遮断制御部３によって制御されるようになっている。
【００２５】
キセノン光源用ライトガイド１１は、ライトガイド挿入凹部４に挿入される先端部の外周部分に突起物１４を設け、さらに他端にはキセノン光源１２に接続されるコネクタ１５を有して構成されている。
【００２６】
ハロゲン光源用ライトガイド２１は、ライトガイド挿入凹部４に挿入される先端部の外周部分に突起物２４を設け、さらに他端にはハロゲン光源２２に接続されるコネクタ２５を設けて構成されている。
【００２７】
キセノン光源検出センサ５とハロゲン光源検出センサ６は、前記突起物１４或いは突起物２４がライトガイド挿入凹部４にセットされたかどうかを検知するセンサであり、例えばボタンスイッチ式のものや、フォトスイッチ式のもの等による構成が考えられる。なお、この検出センサは、これに限定されず、セットの有無を検知可能である構成のものであれば良い。
【００２８】
突起物１４は、ライトガイド挿入凹部４とキセノン光源検出センサ５との相対位置関係に合致するように配置されている。また、突起物２４は、ライトガイド挿入凹部４とハロゲン光源検出センサ６との相対位置関係に合致するように配置されている。
【００２９】
キセノン光源用ライトガイド１１のコネクタ１５は、メカ的に、キセノン光源用電源１３とは接続できるが、ハロゲン光源用電源２３とは接続できない形状で構成されている。逆に、光源用ライトガイド２１のコネクタ２５は、メカ的に、ハロゲン光源用電源２３とは接続できるが、キセノン光源用電源１３とは接続できない形状で構成されている。
【００３０】
具体的には、例えばコネクタ１５の挿入凸部１５ａがコネクタ２５の挿入凸部２５ａより径が大きく、且つ短い形状で構成されている。したがって、逆に、コネクタ２５の挿入凸部２５ａがコネクタ１５の挿入凸部１５ａより径が小さく、且つ長い形状で構成されている。
【００３１】
さらに、キセノン光源１２の挿入凹部１２ａがコネクタ１５の挿入凸部１５ａと密に嵌合する形状で構成されており、また、ハロゲン光源２２の挿入凹部２２ａがコネクタ２５の挿入凸部２５ａと密に嵌合する形状で構成されている。
【００３２】
このように、コネクタ１５，２５の挿入凸部１５ａ，２５ａと、挿入凹部１２ａ，２２ａとなる形状で構成することにより、光源のコネクタとこの光源の種類に応じた電源との電気的な接続を可能とし、同時に光源のコネクタと異なる光源の電源との接続を禁止することを可能としている。
【００３３】
また、本実施の形態では、別の手段として、例えば図２（ａ），図２（ｂ）に示すように、コネクタ１５の挿入凸部１５ａとコネクタ２５の挿入凸部２５ａとが同径、同長であっても、それぞれに互換性の無い基準突起４１と、認識突起４２，４３を、或いは基準溝５１と、認識溝５２，５３を設けるように構成すれば、接続の独立性を確保することができる。
【００３４】
つまり、図２（ａ）に示す構成例では、挿入部凹部１５ａ，２５ａの外周上の同じ位置に基準突起４１が設けられるとともに、認識突起４２，４３がそれぞれ異なる位置に設けられることにより、対応する光源のみの接続を可能にする。また、図２（ｂ）に示す構成例では、挿入部凹部１５ａ，２５ａの外周上の同じ位置に基準溝５１が設けられるとともに、認識溝５２，５２がそれぞれ異なる位置に設けられることにより、対応する光源のみに接続を可能にする。
【００３５】
本実施の形態では、医科別選択手段としての術前設定部２は、図示はしないが設定情報や設定指示等を入力するための入力手段を備え、該入力手段を用いて使用する医科を選択し、手術用顕微鏡の各種パラメータが設定される。この場合の各種パラメータとは、例えば焦点距離、倍率、絞り、フォーカス速度、ズーム速度、視野移動速度、照度、光学フィルター挿抜、図示しない視野内表示モニターに表示する画像の選択等である。なお、これらの各種パラメータは、術前設定部２内の図示しない記憶手段によって記憶され、該手術用顕微鏡を使用する場合には、読み出されて各種対応する構成部位を駆動するために用いられることになる。
【００３６】
また、術前設定部２は、設定された設定情報等の各種パラメータを照明光遮断制御部３に供給する。この照明光遮断制御部３には、キセノン光源検出センサ５とハロゲン光源検出センサ６からの検出結果も供給されている。
【００３７】
照明光遮断制御部３は、術前設定部２からの各種パラメータから各種動作モードを認識し、また、キセノン光源検出センサ５とハロゲン光源検出センサ６からの検出結果を用いて、光源の電源制御を行う。
【００３８】
このような本実施の形態の特徴となる照明光遮断制御部における光源制御動作について図３を参照しながら詳細に説明する。
【００３９】
（作用）
いま、図１に示す手術用顕微鏡の電源が投入されたとする。
【００４０】
このとき、図３に示すようにステップＳ１の処理にて術前設定部２によって使用する医科が選択設定され、同時に各種パラメータも入力設定されたとすると、図１に示す照明光遮断制御部は、続くステップＳ２の判断処理にて、まず、キセノン光源検出センサ５と、ハロゲン光源検出センサ６との検出結果によって、接続されている光源が、キセノンであるかハロゲンであるかを認識し、その後、前記術前設定部２にて選択された医科が「眼科」であるか否かを判断する。
【００４１】
この場合、照明光遮断制御部３は、選択された医科が「眼科」に設定されていると判断した場合、処理をステップＳ３の判断処理に移行し、一方、「眼科」に設定されてないものと判断した場合にはステップＳ５の処理にて、検出した光源がキセノン光源であるものと判断してキセノン光源用電源１３をオン可能な状態となるようにスイッチ１３ａをオンさせ、同時にスイッチ２３ａをオフしてハロゲン光源用電源２３をオフさせる。
【００４２】
ステップＳ３の判断処理では、選択された医科が「眼科」に設定されている状態なので、照明光遮断制御部３は、接続されている光源がハロゲン光源であるか否かを判断し、光源がハロゲン光源でないものと判断した場合にはステップＳ６の処理にて、スイッチ１３ａをオフすることでキセノン光源用電源１３をオフさせ、同時にスイッチ２３ａをオンしてハロゲン光源用電源２３をオンさせる。
【００４３】
一方、接続されている光源がハロゲン光源であるものと判断した場合には、照明光遮断制御部３は、続くステップＳ４の処理にて、ハロゲン光源用電源２３をオン可能な状態となるようにスイッチ２３ａをオンさせ、同時にスイッチ１３ａをオフしてキセノン光源用電源１３をオフさせる。
【００４４】
（効果）
以上、説明したように本実施の形態によれば、接続されている光源の種類を自動的に検知するので、術前の医科別選択による手術顕微鏡の各種パラメータを設定するだけで、眼科での使用時には使用可能な光源の種類に制限をかけることができる。これにより、眼科を含む複数の医科で１台の手術用顕微鏡を共用する場合であっても、使用者の作業負担を増大させずに各医科に最良の照明条件を得ることができ、且つ眼科での使用時に確実にハロゲン光源が選択される手術用顕微鏡を実現できる。
【００４５】
第２の実施の形態：
（構成）
図４及び図５は本発明に係る手術用顕微鏡の第２の実施の形態を示し、図４は該手術用顕微鏡のシステム全体の構成を示す概略構成図、図５は本実施の形態の特徴となる作用を説明するためのフローチャートである。なお、図４は前記第１の実施の形態における構成要素と同一の構成要素については同一の符号を付しており、また、図５についても前記第１の実施の形態における処理と同様な処理については同一のステップＳ番号を付している。
【００４６】
本実施の形態に係る手術用顕微鏡は、図４に示すように、手術用顕微鏡の光源接続部１と、手術用顕微鏡の医科別選択手段としての術前設定部２と、手術用顕微鏡の照明光遮断制御部３と、キセノン光源用ライトガイド１１と、ハロゲン光源用ライトガイド２１と、キセノン光源１２と、ハロゲン光源２２と、図示しないキセノン光源用電源１３と、図示しないハロゲン光源用電源２３とを有して構成されている。
【００４７】
なお、キセノン光源用電源１３及びハロゲン光源用電源２３は、図１に示す前記第１の実施の形態と同様に構成されている。
【００４８】
手術用顕微鏡の光源接続部１は、キセノン光源用ライトガイド１１、或いはハロゲン光源用ライトガイド２１を挿入するライトガイド挿入凹部４と、光源の光軸上に、光量或いは光波長を検出する検光器７と、光源の光を遮断できるシャッター８と、照明光学系１０への入り口（図示せず）とを有して構成されている。
【００４９】
手術用顕微鏡の術前設定部２は、手術用顕微鏡の照明光遮断制御部３に電気的に接続されている。
【００５０】
手術用顕微鏡の照明光遮断制御部３は、シャッター８の図示しない開閉機構に電気的に接続されている。
【００５１】
キセノン光源用ライトガイド１１とハロゲン光源用ライトガイド２１とは、図中に示す例ではそれぞれ個別に設けた場合について示しているが、１本を共用して構成しても良い。
【００５２】
シャッター８の図示しない開閉機構は、メカ的にモータやソレノイド等を駆動して、遮蔽板から成るシャッター８を開閉する構成によるものや、光を透過・遮断を電気的に制御して、例えば液晶板から成るシャッター８を制御する構成によるもの等が考えられる。このシャッタ８の図示しない開閉機構は、照明光遮断制御部３によってその駆動が制御されるようになっている。
【００５３】
医科別選択手段としての術前設定部２では、前記第１の実施の形態と同様に使用する医科を選択し、手術用顕微鏡の各種パラメータが設定される。各種パラメータとは、例えば焦点距離や、倍率や、絞りや、照度等である。
【００５４】
また、術前設定部２は、設定された設定情報等の各種パラメータを照明光遮断制御部３に供給する。この照明光遮断制御部３には、検出器７からの検出結果も供給されている。
【００５５】
照明光遮断制御部３は、術前設定部２からの各種パラメータから各種動作モードを認識し、また、検出器７からの検出結果を用いて、光源の電源制御を行う。
【００５６】
このような本実施の形態の特徴となる照明光遮断制御部における光源制御動作について図５を参照しながら詳細に説明する。
【００５７】
（作用）
いま、図４に示す手術用顕微鏡の電源が投入されたとする。
【００５８】
このとき、図５に示すようにステップＳ１の処理にて術前設定部２によって使用する医科が選択設定され、同時に各種パラメータも入力設定されたとすると、図４に示す照明光遮断制御部３は、続くステップＳ２の判断処理にて、まず、検光器７の検出結果によって、接続されている光源の光量、或いは光源種が何であるか（例えばキセノン光源やハロゲン光源等）を認識し、その後、前記術前設定部２にて選択された医科が「眼科」であるか否かを判断する。
【００５９】
この場合、照明光遮断制御部３は、選択された医科が「眼科」に設定されていると判断した場合、処理をステップＳ１０の判断処理に移行し、一方、「眼科」に設定されてないものと判断した場合にはステップＳ１２の処理にて光源の光量や光源種に関わらずシャッター８を開けるように図示しない開閉機構を制御して、光源からの光を通過させるように制御する。
【００６０】
ステップＳ１０の判断処理では、選択された医科が「眼科」に設定されている状態なので、この場合には、照明光遮断制御部３は、検出器７により検出した検出結果を用いて接続されている光源の光量が予め設定した規定量（規定値）より小さいか否かを判断し、小さくなく大きい場合、或いは光源種がキセノン光源の場合には、シャッター８の図示しない開閉機構を制御してシャッター８を閉じ、光源からの光を遮断するように制御する。逆に、検出した光量が予め設定した規定量より少ない場合、或いは光源種がハロゲン光源の場合には、照明光遮断制御部３は、続くステップＳ１１の処理にてシャッター８の図示しない開閉機構を制御してシャッター８を開け、光源からの光を通過させるように制御する。
【００６１】
なお、本実施の形態では、照明光遮断制御部３と、検光器７とによって、前記の「光量を予め設定する規定量」を多段階に設定しておくことや、或いは様々な光源種を検出可能にしておくことによって、シャッター８の開閉（光源からの光の通過、不通過）を複数の条件（選択された医科の種類や、その他の条件）で制御することも容易に実施可能である。
【００６２】
（効果）
したがって、本実施の形態によれば、接続されている光源の光量、或いは光源種を自動的に検知するので、術前の医科別選択による手術顕微鏡の各種パラメータを設定するだけで、手術用顕微鏡の照明光学系に通過可能な光源を制限することができる。その他の効果は前記第１の実施の形態と同様である。
【００６３】
第３の実施の形態：
（構成）
図６及び図７は本発明に係る手術用顕微鏡の第３の実施の形態を示し、図６は該手術用顕微鏡のシステム全体の構成を示す概略構成図、図７は本実施の形態の特徴となる作用を説明するためのフローチャートである。なお、図６は前記第１，第２の実施の形態における構成要素と同一の構成要素については同一の符号を付しており、また、図７についても前記第１，第２の実施の形態における処理と同様な処理については同一のステップＳ番号を付している。
【００６４】
本実施の形態に係る手術用顕微鏡は、図６に示すように、手術用顕微鏡の光源接続部１と、手術用顕微鏡の医科別選択手段としての術前設定部２と、手術用顕微鏡の照明光選択制御部３と、キセノン光源用ライトガイド１１と、ハロゲン光源用ライトガイド２１と、キセノン光源１２と、ハロゲン光源２２と、図示しないキセノン光源用電源１３と、図示しないハロゲン光源用電源２３とを有して構成されている。なお、キセノン光源用電源１３及びハロゲン光源用電源２３は、図１に示す前記第１の実施の形態と同様に構成されている。
【００６５】
手術用顕微鏡の光源接続部１は、キセノン光源用ライトガイド１１や、ハロゲン光源用ライトガイド２１等を複数並列に挿入可能な多孔ライトガイド接続部９と、照明光学系１０への入り口（図示せず）とを有している。
【００６６】
手術用顕微鏡の術前設定部２は、手術用顕微鏡の照明光選択制御部３０に電気的に接続されている。
【００６７】
手術用顕微鏡の照明光選択制御部３０は、多孔ライトガイド接続部９の図示しない駆動機構に電気的に接続されている。
【００６８】
多孔ライトガイド接続部９の図示しない駆動機構は、メカ的にモータやソレノイド等を駆動して、照明光学系１０への入り口へのライトガイドの接続を物理的に移動する構成によるものや、ミラーやレンズを駆動して、光学的に接続を切り替えるものや、或いは固定的な多孔ライトガイド接続部９に対して照明光学系１０への入りロが移動する構成等が考えられる。この他孔ライトガイド接続部９の図示しない駆動機構は、照明光選択制御部３０によってその駆動が制御されるようになっている。
【００６９】
医科別選択手段としての術前設定部２では、前記第１の実施の形態と同様に使用する医科を選択し、手術用顕微鏡の各種パラメータが設定される。各種パラメータとは、例えば焦点距離や、倍率や、絞りや、照度等である。
【００７０】
照明光選択制御部３０は、術前設定部２からの各種パラメータから各種動作モードを認識し、この認識結果に基づき光源の電源制御を行う。すなわち、照明光選択制御部３０は、多孔ライトガイド接続部９と照明光学系１０への入り口との電気的な接続を制御する。
【００７１】
このような本実施の形態の特徴となる照明光遮断制御部における光源制御動作について図７を参照しながら詳細に説明する。
【００７２】
（作用）
いま、図６に示す手術用顕微鏡の電源が投入されたとする。
【００７３】
このとき、図７に示すようにステップＳ１の処理にて術前設定部２によって使用する医科が選択設定され、同時に各種パラメータも入力設定されたとすると、図６に示す照明光選択制御部３０は、続くステップＳ２の判断処理にて、前記術前設定部２にて選択された医科が「眼科」であるか否かを判断する。
【００７４】
この場合、照明光選択制御部３０は、前述設定部２で選択された医科が「眼科」に設定されていると判断した場合、続くステップＳ２０の処理にてハロゲン光源用ライトガイド２１と照明光学系１０への入り口との接続を行うように多孔ライトガイド接続部９の図示しない駆動機構を駆動制御する。これにより、光源がハロゲン光源となり、該ハロゲン光源の使用が可能となる。
【００７５】
一方、前記ステップＳ２の判断処理にて、選択された医科が「眼科」以外の医科に設定されているものと判断した場合には、照明光選択制御部３０は、ステップＳ２１の処理にて選択された医科に応じて、設定されたライトガイドと照明光学系１０への入り口との接続を行うように多孔ライトガイド接続部９の図示しない駆動機構を駆動制御する。これにより、光源がキセノン光源となり、該キセノン光源の使用が可能となる。
【００７６】
なお、前記照明光選択制御部３０は、多孔ライトガイド接続部９の図示しない駆動機構との接続により、予めどのライトガイドが接続しているか否かを認識可能であり、この認識結果に基づき、上記判断処理が行われるようになっている。
（効果）
したがって、本実施の形態によれば、術前の医科別選択による手術顕微鏡の各種パラメータを設定するだけで、接続する光源種を自動的に選択切り替えするので、手術用顕微鏡の照明光学系に通過可能な光源を制限することができる。その他の効果は前記第１の実施の形態と同様である。
【００７７】
なお、本発明の上記第１乃至第３の実施の形態の手術用顕微鏡においては、眼科のみならず複数の医科で手術用顕微鏡を共用する場合に、使用する医科や術式や術者が変わった際にも、観察手段の各パラメータの術前設定内容等の術前設定作業を簡便にし、且つその設定内容の保存、管理も判り易くすることが可能である。このように前記第１乃至第３の実施の形態の手術用顕微鏡に採用された前記医科別選択手段としての術前設定部２の詳細な構成例を図８乃至図１０を参照しながら説明する。
図８は本発明の手術用顕微鏡の医科選択手段としての術前設定部における設定メニュー例を示すもので、図８（ａ）は第１の設定メニュー例を示し、図８（ｂ）は第２の設定メニュー例を示している。
【００７８】
本発明の手術顕微鏡においては、前記術前設定部２による設定メニューは、図８（ａ）に示すように、医科別の階層１０１〜１０５と、その下層に個人別（何者別）の階層１１０〜１１９とで構成される。或いは、術前設定部２による設定メニューは、図８（ｂ）に示すように、上述した図８（ａ）中に示す医科別の階層１０１〜１０５ではなく、術式別の階層１２０〜１２９と、個人別（術者別）の階層１１０〜１１９とで構成するようにしても良い。なお、術前設定部２には、上述したように記憶手段が設けられており、この記憶手段に上記設定メニュー内の階層毎に各種パラメータ等の設定情報が記憶されるようになっている。
【００７９】
したがって、術前設定部２は、医科別の階層１０１〜１０５の中でどの医科が選択されたのかを、或いは、術式別の階層１２０〜１２９の中でどの術式が選択されたのかを、照明光遮断制御部３、または照明光選択制御部３０に伝達し、これを受け該照明光遮断制御部３、または照明光選択制御部３０をこれを認識するとともに、上記第１乃至第３の実施の形態の如く光源の切替え及び駆動制御を行う。
【００８０】
図９は本発明の手術用顕微鏡の術前設定部における第３の設定メニュー例を示している。
【００８１】
この例では、前記術前設定部による設定メニューは、図９に示すように、医科別の階層１０１〜１０５と、その下層に術式別の階層１２０〜１２９とで構成されている。
【００８２】
したがって、術前設定部２は、医科別の階層１０１〜１０５の中でどの医科が選択されたのかを、照明光遮断制御部３、または照明光選択制御部３０に伝達することで、上記同様に該照明光遮断制御部、または照明光選択制御部３０によって光源の切替え及び駆動を行う。
【００８３】
図１０は本発明の手術用顕微鏡の術前設定部２の第４の設定メニュー例を示している。
【００８４】
この例では、手術用顕微鏡の術前設定部による設定メニューは、図１０に示すように、医科別の階層１０１〜１０５と、術式別の階層１２０〜１２９と、更にその下層に個人別（術者別）の階層１１０〜１１９とを構成する３層構成となっている。或いは、本例での設定メニューは、術式別の階層１２０〜１２９と、個人別（術者別）の階層１１０〜１１９とは、層の上下が入れ替るように構成しても良い。
【００８５】
したがって、術前設定部２は、医科別の階層１０１〜１０５の中でどの医科が選択されたのかを、照明光遮断制御部３、または照明光選択制御部３０に伝達することで、上記同様に該照明光遮断制御部、または照明光選択制御部３０によって光源の切替え及び駆動を行う。。
【００８６】
以上、図８乃至図１０に示したように、これら設定メニューを構成する術前設定部２を用いることにより、複数の医科で手術用顕微鏡を共用する場合に、使用する医科や術式や術者が変わった際にも、観察手段の各パラメータの術前設定内容がデータベース化されているので、術前設定作業を簡便にし、且つその設定内容の保存、管理も判り易くすることができる。
【００８７】
なお、本発明は上記第第１乃至第３の実施の形態に限定されるものではなく、本発明の範囲を逸脱しない範囲での応用や組み合わせも適用される。
【００８８】
［付記］
以上詳述したような本発明の上記実施の形態によれば、以下の如き構成を得ることができる。
【００８９】
（１）  複数種の光源を有し、術部を照明する照明手段と、
前記術部を観察する観察手段と、
前記観察手段の少なくとも一つの可変可能な設定値を設定する術前設定手段とを備えた手術用顕微鏡において、
前記複数種の光源のうち選択使用されている光源種を検出する光源種検出手段と、
前記術前設定手段の設定に基づく光源種と前記光源検出手段で検出された光源種とを比較する比較手段と、
前記比較手段による比較結果に応じて前記照明手段の光源による術部照明を制御する制御手段と、
を具備したことを特徴とする手術用顕微鏡。
【００９０】
（２）  複数種の光源を有し、術部を照明する照明手段と、
前記術部を観察する観察手段と、
前記観察手段の少なくとも一つの可変可能な設定値を設定する術前設定手段とを備えた手術用顕微鏡において、
前記複数種の光源のうち選択使用されている光源種を検出する光源種検出手段と、
前記術前設定手段による設定内容と前記光源種検出手段の検出結果に基き、前記照明手段から術部への照明光を遮断制御する照明光遮断制御手段と、
を具備したことを特徴とする手術用顕微鏡。
【００９１】
（３）  複数種の光源を有し、術部を照明する照明手段と、
前記術部を観察する観察手段と、
前記観察手段の少なくとも一つの可変可能な設定値を設定する術前設定手段とを備えた手術用顕微鏡において、
前記術前設定手段の設定内容に基き、前記複数種の光源装置のうち特定の光源からの照明光を術部へ導く照明光選択制御手段と、を具備したことを特徴とする手術用顕微鏡。
【００９２】
（４）  前記術前設定手段は、眼科を含む複数医科を選択する医科別選択手段であることを特徴とする（１）乃至（３）のいずれか１つに記載の手術用顕微鏡。
【００９３】
（５）  前記照明手段の複数種の光源は、少なくともハロゲン光源を含み、前記照明光遮断制御手段は、前記光源種選択手段の条件が、前記医科別選択手段により眼科が選択され、前記光源種検出手段により検出された使用光源がハロゲン光源以外である場合に、前記使用光源から術部への照明光を遮断するように制御することを特徴とする（４）に記載の手術用顕微鏡。
【００９４】
（６）  前記照明手段の複数種の光源は、少なくともハロゲン光源を含み、前記照明光遮断制御手段は、前記医科別選択手段で眼科が選択された場合に、前記照明手段の光源をハロゲン光源に切り替えるように制御することを特徴とする（４）に記載の手術用顕微鏡。
【００９５】
（７）  前記光源種検出手段は、前記照明手段の複数種の光源の内、異なる種類の光源の接続が不可能なコネクタ部を有し、このコネクタ部による光源の接続形態を検出して選択使用されている光源種を検出すること特徴とする（４）に記載の手術用顕微鏡。
【００９６】
（８）  前記照明光遮断制御部は、前記コネクタ部による光源の接続形態による検出結果に基づき、使用光源に対する光源電源の電源供給を停止して術部への照明光を遮断するように制御することを特徴とする（７）に記載の手術用顕微鏡。
【００９７】
（９）  前記光源種検出手段は、光源の光軸上に配され、該光源の光量または光波長を検出する検出器であり、この検出器による検出結果に基づき選択使用されている光源種を検出すること特徴とする（４）に記載の手術用顕微鏡。
【００９８】
（１０）  前記照明光遮断制御部は、前記照明手段の複数種の光源の内、いずれか１つの光源からの照明光を遮断するシャッター部を有し、前記検出器からの検出結果に基づき該シャッター部を駆動制御することを特徴とする（９）に記載の手術用顕微鏡。
【００９９】
（１１）  前記照明光選択制御手段は、術部に光源からの照明光を導く照明光学系と、この照明光学系に、前記複数種の光源のいずれか１つを構造的に接続するための駆動機構とを有し、前記医科別選択手段による設定情報に基づき、前記駆動機構を駆動制御することにより、前記複数種の光源装置のうち特定の光源を選択することを特徴とする（３）に記載の手術用顕微鏡。
【０１００】
（１２）  術部を観察する観察手段と、前記観察手段が有する各パラメータ設定を一括して設定を行うとともに、設定された設定情報を記憶する記憶手段を有する術前設定手段とを備えた手術用顕微鏡において、
前記術前設定手段による各パラメータ設定は、設定メニューを用いて行うもので、該設定メニューは複数の設定階層で構成されており、設定された情報を複数設定階層毎に前記記憶手段に記憶したことを特徴とする手術用顕微鏡。
【０１０１】
（１３）  前記複数の設定階層は、科別の階層と、術者別の階層とから構成したことを特徴とする（１２）に記載の手術用顕微鏡。
【０１０２】
（１４）  前記複数の設定階層は、科別の階層と、術式別の階層とから構成したことを特徴とする（１２）に記載の手術用顕微鏡。
【０１０３】
（１５）  前記複数の設定階層は、術式別の階層と、術者別の階層とから構成したことを特徴とする（１２）に記載の手術用顕微鏡。。
【０１０４】
（１６）  前記複数の設定階層は、科別の階層と、術式別の階層と、術者別の階層とから構成したことを特徴とする（１２）に記載の手術用顕微鏡。
【０１０５】
【発明の効果】
以上、説明したように本発明によれば、簡単な構成で眼科を含む複数の各医科の手術に適した光源を自動的に選択し照明制御を行うことができる手術用顕微鏡を提供することが可能となる。
【図面の簡単な説明】
【図１】本発明に係る手術用顕微鏡の第１の実施の形態を示し、該手術用顕微鏡のシステム全体の構成を示す概略構成図。
【図２】図１に示すライトガイドと光源との接続部分の具体的な他の構成を示す構成図。
【図３】本実施の形態の特徴となる作用を説明するためのフローチャート。
【図４】本発明に係る手術用顕微鏡の第２の実施の形態を示し、該手術用顕微鏡のシステム全体の構成を示す概略構成図。
【図５】本実施の形態の特徴となる作用を説明するためのフローチャート。
【図６】本発明に係る手術用顕微鏡の第３の実施の形態を示し、該手術用顕微鏡のシステム全体の構成を示す概略構成図。
【図７】本実施の形態の特徴となる作用を説明するためのフローチャート。
【図８】本発明の手術用顕微鏡の医科選択手段としての術前設定部における第１，第２の設定メニュー例を示す図。本発明の医科別選択手段２の第２の設定メニュー例である。
【図９】本発明の手術用顕微鏡の術前設定部における第３の設定メニュー例を示す図。
【図１０】本発明の手術用顕微鏡の術前設定部における第４の設定メニュー例を示す図。
【符号の説明】
１…光源接続部、
２…術前選択部（医科別選択手段）、
３…照明光遮断制御部、
４…ライトガイド挿入凹部、
５…キセノン光源センサ、
６…ハロゲン光源センサ、
８…シャッター、
９…多孔ライトガイド接続部、
１０…照明光学系、
１１…キセノン光源用ライトガイド、
１２…キセノン光源、
１３…キセノン光源用電源、
１４…突起物、
１５…コネクタ、
２１…ハロゲン光源用ライトガイド、
２２…ハロゲン光源、
２３…ハロゲン光源用電源、
２５…コネクタ、
３０…照明光選択制御部。
【図１】
2005003727.tif 000003
【図２】
2005003727.tif 000004
【図３】
2005003727.tif 000005
【図４】
2005003727.tif 000006
【図５】
2005003727.tif 000007
【図６】
2005003727.tif 000008
【図７】
2005003727.tif 000009
【図８】
2005003727.tif 000010
【図９】
2005003727.tif 000011
【図１０】
2005003727.tif 000012